(57)【特許請求の範囲】
【請求項１】
側面板（１）、天面板（２）、側面板（３）、底面板（４）が折罫（１２、２３、３４）を介して順次連接した断面矩形状の筒状体の上下開口部を前記天面板（２）の前記折罫（１２、２３）と直交する方向の端辺に折罫（１２３）を介して連接した上下部表面フラップ（２０）で封止した直方体形状の電子レンジ用カートン（Ａ）において、前記上下部表面フラップ（２０）の前記折罫（１２３）と対向する端辺に折罫（１２４）を介して連接する上下部脚板（２１）を前記上下部表面フラップ（２０）に剥離可能に接着し、さらに前記上下部脚板（２１）に前記折罫（１２４）に平行な複数本の折罫を設けると共に前記上下部脚板（２１）の前記折罫（１２４）と対向する端辺の略中央部に前記上下部脚板（２１）の前記折罫（１２４）と平行な方向の幅より幅狭の差込片（２２）を突設し、かつ、該差込片（２２）を係入する差込用切込（２４）を前記折罫（１２４）に設けたことを特徴とする電子レンジ用カートン（Ａ）。
【請求項２】
前記底面板（４）の内面に電子レンジ発熱シートを貼設したことを特徴とする請求項１記載の電子レンジ用カートン（Ａ）。
【発明の詳細な説明】
【０００１】
【発明の属する技術分野】
本発明は、店頭ないし家庭において電子レンジで加熱調理して喫食する冷凍食品、たとえば、冷凍のフライドポテト、ピザ、たこ焼きなどを収納する電子レンジ用カートンに関し、さらに詳しくは、電子レンジで効率よく加熱調理することができる電子レンジ用カートンに関する。
【０００２】
【従来の技術】
従来、店頭ないし家庭において電子レンジで加熱調理して喫食する冷凍食品、たとえば、冷凍のフライドポテト、ピザ、たこ焼きなどを収納する電子レンジ用カートンは、図４（ａ）に例示するような直方体形状のカートンαが多用され、そのまま電子レンジで加熱調理する使用態様が一般的である。
【０００３】
そして、このような直方体形状のカートンαは、図示はしないが天面板２’等に複数の蒸気抜き穴を設けた形態ないし図４（ａ）に示すような蒸気抜き穴を設けていない形態等からなり、複数の蒸気抜き穴を設けた形態のものは、そのまま電子レンジで加熱調理され、また蒸気抜き穴を設けていない形態のものは、図４（ｂ）に示すように天面板２’と糊代片５’（糊代片５’は側面板１’内面に糊付けされている）との境界線上に設けたミシン目罫等の開封手段９０を爪掛部９１から切り取って天面板２’を開封して電子レンジで加熱調理される。
【０００４】
上記いずれの場合も、カートンαは電子レンジ内に装備されたターンテーブル上に直置きされて加熱調理されるが、このようにターンテーブルに直置きした場合、電子レンジの特性から加熱調理する冷凍食品に加熱ムラが生じるといった問題や加熱効率が悪いといった問題を抱えていた（電子レンジの特性からすると、ターンテーブル上に直置きするのではなく、ターンテーブルから浮かせて載置できれば、加熱ムラを解消することができ、加熱効率を向上させることができる）。
【０００５】
また、電子レンジに供する冷凍食品の種類によっては、見た目、あるいは、食味や食感を向上させる目的で、焼き目や焦げ目を付ける電子レンジ発熱シートをカートンの底面等に貼設した電子レンジ発熱シート付きカートンが用いられている。このような電子レンジ発熱シートを底面等に貼設した電子レンジ発熱シート付きカートンを電子レンジ内に装備されたターンテーブルに直置きして加熱調理すると、冷凍食品が加熱調理されると共に電子レンジ発熱シートが加熱されて冷凍食品表面に焼き目や焦げ目を付けるが、同時にカートン底面も加熱することになり、酷いときには、カートンの表面に購買者への訴求力を高めるために設けられている美麗な絵柄や使用方法等の文字からなる絵柄印刷がターンテーブルに転移するといった問題を抱えていた。特に、カートンがポリエチレン／紙／ポリエチレンからなる場合には、絵柄印刷のターンテーブルへの転移は一層顕著に現出していた。
【０００６】
【発明が解決しようとする課題】
そこで本発明は、上記問題点に鑑みてなされたものであって、加熱ムラを生じることがなく、また、加熱効率を向上させることができる電子レンジ用カートンを提供することを目的とする。
【０００７】
【課題を解決するための手段】
本発明者は、上記目的を達成するために、請求項１記載の発明は、側面板１、天面板２、側面板３、底面板４が折罫１２、２３、３４を介して順次連接した断面矩形状の筒状体の上下開口部を前記天面板２の前記折罫１２、２３と直交する方向の端辺に折罫１２３を介して連接した上下部表面フラップ２０で封止した直方体形状の電子レンジ用カートンＡにおいて、前記上下部表面フラップ２０の前記折罫１２３と対向する端辺に折罫１２４を介して連接する上下部脚板２１を前記上下部表面フラップ２０に剥離可能に接着し、さらに前記上下部脚板２１に前記折罫１２４に平行な複数本の折罫を設けると共に前記上下部脚板２１の前記折罫１２４と対向する端辺の略中央部に前記上下部脚板２１の前記折罫１２４と平行な方向の幅より幅狭の差込片２２を突設し、かつ、該差込片２２を係入する差込用切込２４を前記折罫１２４に設けたことを特徴とする電子レンジ用カートンＡ。このように構成することにより、上下部脚板２１を上下部表面フラップ２０から剥離し、前記上下部脚板２１を折罫１２４で逆折りすると共に前記上下部脚板２１に設けた複数本の折罫で断面角形状となるように折り曲げて、前記上下部脚板２１に突設された差込片２２を前記折罫１２４に設けた差込用切込２４に係入することにより、底面板４を浮かせた状態で電子レンジに装備したターンテーブルに載置することができ、これにより加熱ムラを生じることなく、また、加熱効率を向上させることができる。なお、本発明の電子レンジ用カートンＡには、当然のことながら電子レンジで加熱調理する際に発生する蒸気を逃がすための従来技術で説明した手段が適宜施されているものである。
【０００８】
また、請求項２記載の発明は、請求項１記載の電子レンジ用カートンＡにおいて、前記底面板４の内面に電子レンジ発熱シートを貼設したことを特徴とするものである。このように構成することにより、焼き目や焦げ目を付けることができると共に、カートンの表面に購買者への訴求力を高めるために設けられている美麗な絵柄や使用方法等の文字からなる絵柄印刷がターンテーブルに転移することを防止することができる。
【０００９】
【発明の実施の形態】
上記の本発明について、図面等を用いて以下に詳述する。
図１は本発明にかかる電子レンジ用カートンの一実施例を示す一部透視斜視図、図２は図１の展開図、図３は本発明にかかる電子レンジ用カートンの使用状態を説明する斜視図、図４は従来の電子レンジ用カートンを説明する斜視図であり、図中のＡは電子レンジ用カートン、Ａ’はブランク板、１，３は側面板、２は天面板、４は底面板、５は糊代片、１２，２３，３４，４５，１２３，１２４，１２５，１２６，２３４，３４５は折罫、２０は上下部表面フラップ、２１は上下部脚板、２２は差込片、２４は差込用切込、３０は上下部裏面フラップ、４０は上下部折込みフラップ、５０は切欠、５１は開封用切目線、５２は開封用ミシン目線、６０は蓋体、７０は脚をそれぞれ示す。
【００１０】
図１は本発明にかかる電子レンジ用カートンの一実施例を示す一部透視斜視図であって、電子レンジ用カートンＡは紙ないし紙を主体とする基材からなると共に、側面板１、天面板２、側面板３、底面板４が折罫１２、２３、３４を介して順次連接した断面矩形状の筒状体の上下開口部を前記天面板２の前記折罫１２、２３と直交する方向の端辺の折罫１２３を介して連接した上下部表面フラップ２０で封止した直方体形状のカートンであって、前記上下部表面フラップ２０の前記折罫１２３と対向する端辺に折罫１２４を介して連接する上下部脚板２１を前記上下部表面フラップ２０に剥離可能に接着し、さらに前記上下部脚板２１に前記折罫１２４に平行な２本の折罫１２５、１２６を等間隔に設けると共に前記上下部脚板２１の前記折罫１２４と対向する端辺の略中央部に前記上下部脚板２１の前記折罫１２４と平行な方向の幅より幅狭の差込片２２を突設すると共に該差込片２２を係入する差込用切込２４を前記折罫１２４の略中央部に設け、さらに前記側面板１の前記折罫１２と平行な方向の略中央部に略半円状の切欠５０を設けると共に該切欠５０の両端から互いに乖離するように前記折罫１２側に一定長さ延びたそれぞれの終点から前記折罫１２、２３に直交する方向に前記側面板１、前記天面板２と順に延びて前記折罫２３に至る開封用切目線５１と該開封用切目線５１の両終端を繋ぐ開封用ミシン目線５２を前記折罫２３上に設けたものである。なお、前記切欠５０と前記開封用切目線５１と前記開封用ミシン目線５２で区画された領域は、電子レンジで加熱調理する際に発生する蒸気を逃がすために切り取り可能に形成した蓋体６０である。
【００１１】
図２は図１の展開図であって、電子レンジ用カートンＡは、側面板１、天面板２、側面板３、底面板４、糊代片５が折罫１２、２３、３４、４５を介して順次連接し、前記側面板１、前記天面板２、前記側面板３、前記底面板４の前記折罫１２、２３、３４、４５と直交する方向のそれぞれの端辺に折罫２３４、１２３、２３４、３４５を介して上下部折込みフラップ４０、上下部表面フラップ２０、上下部折込みフラップ４０、上下部裏面フラップ３０を連接し、さらに前記上下部表面フラップ２０の前記折罫１２３と対向する端辺に折罫１２４を介して上下部脚板２１を連接し、そして該上下部脚板２１に前記折罫１２４に平行な２本の折罫１２５、１２６を等間隔に設けると共に前記上下部脚板２１の前記折罫１２４と対向する端辺の略中央部に前記上下部脚板２１の前記折罫１２４と平行な方向の幅より幅狭の差込片２２を突設し、さらに該差込片２２を係入する差込用切込２４を前記折罫１２４の略中央部に設け、さらに前記側面板１の前記折罫１２と平行な方向の略中央部に略半円状の切欠５０を設けると共に該切欠５０の両端から互いに乖離するように前記折罫１２側に一定長さ延びたそれぞれの終点から前記折罫１２、２３に直交する方向に前記側面板１、前記天面板２と順に延びて前記折罫２３に至る開封用切目線５１と該開封用切目線５１の両終端を繋ぐ開封用ミシン目線５２を前記折罫２３上に設けたブランク板Ａ’を組み立てることにより得ることができる。
【００１２】
前記ブランク板Ａ’を組み立てて電子レンジ用カートンＡとするには、まず、前記ブランク板Ａ’の前記折罫１２４で前記上下部脚板２１を前記上下部表面フラップ２０に折り重ね（図２上で紙面裏側に折り曲げて重ね）て前記上下部脚板２１と前記上下部表面フラップを剥離可能に接着し、その後に前記底面板４と前記糊代片５を前記折罫３４で前記天面板１上に折り重ねると共に前記側面板１を前記折罫１２で前記糊代片５上に折り重ねて前記側面板１と前記糊代片５とを前記側面板１に設けた切欠５０よりも端辺側の位置で接着して製函品を作製し、次にこの製函品を前記折罫１２、２３、３４、４５で起函して内容物である冷凍食品を収納して後に、前記上下部折込みフラップ４０を前記折罫２３４で内側に折り曲げ、さらに前記上下部裏面フラップ３０を前記折罫３４５で内側に折り曲げると共に前記上下部脚板２１を剥離可能に接着した前記上下部表面フラップ２０を前記折罫１２３で前記上下部裏面フラップ３０上に折り重ねて前記上下部裏面フラップ３０と前記上下部表面フラップ２０とを接着することにより、図１に示す本発明の電子レンジ用カートンＡを得ることができる。なお、上下部脚板２１と上下部表面フラップを剥離可能に接着する方法としては、接着面を構成する材料により適当な方法を適宜採ればよいが、たとえば、接着面が紙である場合には点状に塗工したパラフィンワックス主体のホットメルト接着剤を介して接着する方法を採ればよい。
【００１３】
図３は本発明にかかる電子レンジ用カートンの使用状態を説明する斜視図であって、電子レンジ用カートンＡの上下部脚板２１を上下部表面フラップ２０から剥離し、折罫１２４で前記上下部脚板２１を逆折りし、同方向に折罫１２５、１２６で順次折り返すと共に差込片２２を差込用切込２４に係入して断面逆三角形状の脚７０を形成し、他方において電子レンジ用カートンＡの切欠５０から手指等で蓋体６０の端部を摘んで引き上げて開封用切目線５１に沿って引き裂くと共に開封用ミシン目線５２で前記蓋体６０を切り取った状態を示す図であって、この状態で電子レンジに装備されたターンテーブルに載置される。カートン内に収納された内容物である冷凍食品（図示せず）は前記上下部脚板２１で形成された断面逆三角形状の脚７０により、カートンの底面板４を浮かせた状態でターンテーブルに載置されるために、加熱ムラを生じることなく、また、加熱効率よく加熱調理することができる。
【００１４】
また、本発明の電子レンジ用カートンの底面板４の内面に内容物である冷凍食品に焼き目や焦げ目を付けるための特公昭６０−１５５４８号、特公平４−６８７５８号等で開示されている電子レンジ発熱シートを貼設して電子レンジ発熱シート付きカートンとした場合においても、底面板４を浮かせた構成とした本発明の電子レンジ用カートンは、従来問題となっていたカートン表面に形成した絵柄印刷のターンテーブルへの転移を解消することができる。
【００１５】
ところで、今まで説明した電子レンジ用カートンは、本発明の代表的な実施例を示したものであって、これに限るものではなく、本発明の趣旨を逸脱しない範疇のものはすべて本発明に含まれるものである。カートンの底面板４を浮かせるための脚を形成する脚板２１は、実施例においては２本の折罫１２５、１２６を設けて断面逆三角形状の脚７０を形成するようにしたが、たとえば、３本の折罫を設けて断面四角形状の脚を形成してもよいし、これ以上の多角形状の脚を形成するようにしてもよい。また、電子レンジで加熱調理する際に発生する蒸気を逃がす方法としては、実施例に示した形状、構成に限るものではなく、適宜の形状、構成を採ることができるし、また、天面板２等に蒸気抜き穴を設けてもよい。
【００１６】
【発明の効果】
本発明の電子レンジ用カートンは、今まで縷々説明したように、加熱ムラを生じることがなく、また、加熱効率を向上させることができるという優れた効果を奏するものである。また、電子レンジ発熱シートをカートンの底面板の内面に貼設して電子レンジ発熱シート付きカートンとしても、カートン表面に形成した絵柄印刷が熱によりターンテーブルへ転移することがなく、ターンテーブルを汚すことがないという効果を奏するものである。
【図面の簡単な説明】
【図１】  本発明にかかる電子レンジ用カートンの一実施例を示す一部透視斜視図である。
【図２】  図１の展開図である。
【図３】  本発明にかかる電子レンジ用カートンの使用状態を説明する斜視図である。
【図４】  従来の電子レンジ用カートンを説明する斜視図である。
【符号の説明】
Ａ                                      電子レンジ用カートン
Ａ’                                    ブランク板
１，３                                  側面板
２                                      天面板
４                                      底面板
５                                      糊代片
１２，２３，３４，４５，１２３          折罫
１２４，１２５，１２６，２３４，３４５  折罫
２０                                    上下部表面フラップ
２１                                    上下部脚板
２２                                    差込片
２４                                    差込用切込
３０                                    上下部裏面フラップ
４０                                    上下部折込みフラップ
５０                                    切欠
５１                                    開封用切目線
５２                                    開封用ミシン目線
６０                                    蓋体
７０                                    脚
【図１】
0004668464.tif 000002
【図２】
0004668464.tif 000003
【図３】
0004668464.tif 000004
【図４】
0004668464.tif 000005